(57)【要約】【課題】  ビンゴゲームに代わるビンゴゲーム式ゲームとして、パーティーや遊覧観光バス走行中の余興として、楽しむことのできるゲーム用紙を提供する。【解決手段】  四角形のシートに縦横に複数個の四角形の升目14を複数列配列し各升目には任意の数字16をランダムに記入しかつ各升目の中にＵ字形の切り込み又はミシン目18を入れ各升目の中央部を個々に引き起すと覗き窓20となる升目用紙10と、少なくとも覗き窓20を除く部分の升目用紙10の全ての升目を覆うように裏面に貼着され各升目の各覗き窓20から覗ける回答部24に数字等からなる回答を記入した回答用紙12とからなる。ゲームの主催者が数字を刻印したサイコロをランダムに取り出してその数字を順次読み上げる。回答者は読み上げられた升目14を順次引き起こし覗き窓20から数字を読み取り、特定の数字が揃ったときに商品等をゲームの主催者から受け取る。【選択図】  図１
0003102601.tif 000002
【実用新案登録請求の範囲】
【請求項１】
四角形のシートに縦横に複数個の四角形の升目（１４）を複数列配列し各升目（１４）には任意の数字をランダムに記入しかつ各升目の中に逆Ｕ字形の切り込み又はミシン目（１８）を入れ各升目（１４）の中央部を個々に引き起すと覗き窓（２０）となる升目用紙（１０）と、
少なくとも前記覗き窓（２０）を除く部分の前記升目用紙（１０）の全ての升目（１４）を覆うように裏面に貼着し前記各升目（１４）の前記各覗き窓（２０）から覗ける回答部（２４）に数字等からなる回答（２６）を記入した回答用紙（１２）と、
からなることを特徴とするビンゴゲーム式ゲーム用紙。
【請求項２】
前記回答用紙（１４）の前記各回答部（２４）には特定の一個の数字を複数記入し前記特定の一個の数字以外の数字は前記特定の数字より少なくとも１個少なく記入することを特徴とする請求項１に記載のビンゴゲーム式ゲーム用紙。
【請求項３】
前記回答部（２４）に記入する各数字に特定の色を割り当て前記回答部（２４）の地色として着色しその上に数字を記入することを特徴とする請求項１または請求項２に記載のビンゴゲーム式ゲーム用紙。
【請求項４】
前記回答用紙（１２）の前記回答部（２４）にはトランプカードをランダムに割り当てて記入することを特徴とする請求項１または請求項３に記載のビンゴゲーム式ゲーム用紙。
【考案の詳細な説明】
【技術分野】
【０００１】
本考案は、パーティーや遊覧観光バス走行中の余興として楽しまれるビンゴゲーム式ゲーム用紙に関する。
【背景技術】
【０００２】
ビンゴゲームは、四角い厚手の紙からなり、横５行縦５列の升目を配列し、各升目には２桁の任意の数字をランダムに記入し、かつ升目の３辺にミシン目を入れ、各升目自体を個々に引き起こすか折り込めるようになっている回答用紙と、各升目に数字を刻印したサイコロをランダムに取り出す抽選器からなるものである。
【０００３】
ゲームの主催者は、先ず回答用紙を配布するが、升目の中心に位置する第３列第３行の升目に数字の記載が無くフリーとなっている場合は、回答者は先ずこのフリーとなっている升目を無条件で打ち抜くことができる。
【０００４】
次いで、ゲームの主催者は、抽選器から数字の刻印されたサイコロをランダムに一個一個順次に取り出し、サイコロに記入された数字を読み上げる。回答者は読み上げられた数字が自分の回答用紙の升目に書かれた数字と一致したら、その升目を折り込むかまたは引き起こす。
【０００５】
ゲームが順次進行し、回答者の手元にある回答用紙の折り込みによって生じた升目の孔が、フリーの升目を含めて、縦横斜めのいずれでも５個の升目が一直線に並んだら、「ビンゴ」と称し、ゲームの主催者から何らかの賞品を受け取る。
【０００６】
このビンゴゲームは、大変人気があり、往時は盛んに使用されたが、一時に比べると少々飽きられた感があり、これに代わるゲームの出現が望まれている。さらに、ゲームが順次進行すると、一個の数字で複数の「ビンゴ」当選者が出ることがあり、主催者としては別個に賞品を用意するとか、当選者同志のジャンケンで賞品受領者を決めるといったような苦心を強いられる場合がある。これの解決案として、下記の考案が提案されている。
【特許文献１】実用新案登録第３０８８１７１号
【特許文献２】実用新案登録第３０８９４５２号
【考案の開示】
【考案が解決しようとする課題】
【０００７】
本考案はビンゴゲームは、大変人気があり、往時は盛んに使用されたが、一時に比べると少々飽きられた感があることに鑑み、これに代わるビンゴゲーム式ゲームとして、パーティーや遊覧観光バス走行中の余興として、楽しむことのできるゲーム用紙を提供することを目的とする。
【課題を解決するための手段】
【０００８】
本考案の請求項１に記載のビンゴゲーム式ゲーム用紙は、四角形のシートに縦横に複数個の四角形の升目を複数列配列し各升目には任意の数字をランダムに記入しかつ各升目の中にＵ字形の切り込み又はミシン目を入れ各升目の中央部を個々に引き起すと覗き窓となる升目用紙と、
少なくとも前記覗き窓を除く部分の前記升目用紙の全ての升目を覆うように裏面に貼着され前記各升目の前記各覗き窓から覗ける回答部に数字等からなる回答を記入した回答用紙と、
からなることを特徴とする。
【０００９】
本考案の請求項２に記載の考案は、請求項１に記載のビンゴゲーム式ゲーム用紙の考案において、前記回答用紙の前記各回答部には特定の一個の数字を複数記入し前記特定の一個の数字以外の数字は前記特定の数字より少なくとも１個少なく記入することを特徴とする。
【００１０】
本考案の請求項３に記載の考案は、請求項１または請求項２に記載のビンゴゲーム式ゲーム用紙の考案において、前記回答部に記入する各数字に特定の色を割り当て前記回答部の地色として着色しその上に数字を記入することを特徴とする。
【００１１】
本考案の請求項４に記載の考案は、請求項１または請求項３に記載のビンゴゲーム式ゲーム用紙の考案において、前記回答部にトランプカードをに記入することを特徴とする。
【考案の効果】
【００１２】
先ず、ゲームの参加者には、ゲーム用紙が配布される。次いでゲームの主催者が数字を刻印したサイコロをランダムに取り出してその数字を順次読み上げる。ゲーム用紙には、四角形のシートに縦横に複数個の四角形の升目を複数列配列し各升目には任意の数字をランダムに記入してあるので、ゲームの主催者が読み上げた数字と升目に記入された数字が一致したら、ゲーム参加者はその升目の中央部を引き起こし、覗き窓を開口する。
【００１３】
升目用紙の裏面には、回答用紙が少なくとも覗き窓を除く部分の升目用紙の全ての升目を覆うように裏面に貼着されているので、各升目の覗き窓から覗ける回答部に記入された数字等からなる回答を読み取ることが出来る。
【００１４】
回答用紙の回答部に記入する数字は、例えば請求項２に記載したように、特定の一個の数字を複数記入し前記特定の一個の数字以外の数字は前記特定の数字より少なくとも１個少なく記入する場合は、特定の数字を７とし、この数字を３個のランダムに選んで回答部に記入する。特定の数字７以外の数字は、２個づつランダムに選んだ回答部に記入する。この場合は、数字７が割り当てられた覗き窓３個を開いたゲームプレーヤーを勝者とすれば、パチスロ的な面白さがある。
【００１５】
また、請求項４に記載のように、請求項１または請求項３に記載の前記回答用紙の前記回答部に、トランプカードをランダムに割り当てて記入すれば、ゲームをポーカー風にして楽しむことができる。
【考案を実施するための最良の形態】
【００１６】
本考案の好適な実施例を図面に従って説明する。図１は升目用紙１０の平面図、図２は回答用紙１２の平面図である。升目用紙１０の大きさはゴルフのスコアカード程度の大きさであって、その表面には横に連続する５個の升目１４が縦に５段積み上げられている。
【００１７】
各升目１４には、１から７５までの数字１６を順次ランダムに一個選んで、記入されている。また、各升目１４の上辺１４ａおよび両側辺１４ｂ・１４ｂと数字１６の間には逆Ｕ字型の切り込みまたはミシン目１８が施され、図３に示すようにこのミシン目１８で囲まれた部分を引き起こすと覗き窓２０が開口するようになっている。
【００１８】
回答用紙２２は升目用紙１０と同じ大きさの紙であって、その表面には横に連続する５個の升目１４が縦に５段積み上げられている。各升目１４の各覗き窓２０から覗ける回答部２４には、数字等からなる回答２６が記入されている。特定の数字を１とし、この数字を３個のランダムに選んだ回答部に記入する。特定の数字１以外の数字は、２個づつランダムに選んだ回答部に記入する。この場合は、数字１が割り当てられた覗き窓３個を開いたゲームプレーヤーを勝者とすれば、パチスロ的な面白さが楽しめる。
【００１９】
回答用紙１２の回答部２４に、トランプカードをランダムに割り当てて記入すれば、ゲームをポーカー風にして楽しむことができる。
【産業上の利用可能性】
【００２０】
ビンゴゲームに代わって、パーティーや遊覧観光バス走行中の余興として、パチスロ的面白さあるいはポーカ的面白さを楽しむことのできるゲーム用紙を提供することができる。
【図面の簡単な説明】
【００２１】
【図１】升目用紙１０の平面図である。
【図２】回答用紙１２の平面図である。
【図３】覗き窓が開口した状態の斜視図である。
【符号の説明】
【００２２】
１０・・・・・升目用紙
１２・・・・・回答用紙
１４・・・・・升目
１６・・・・・数字
１８・・・・・切り込みまたはミシン目
２０・・・・・覗き窓
２４・・・・・回答部
２６・・・・・回答
【図１】
0003102601.tif 000003
【図２】
0003102601.tif 000004
【図３】
0003102601.tif 000005